(57)【特許請求の範囲】
【請求項１】
前方に向いて水平近くまで前傾して配置されたシリンダブロックに運転状態を検出するセンサが設けられた小型車両に搭載の内燃機関において、
前記センサが前記シリンダブロックのカムチェーン室側の側方に突設され、
前記センサの下方に排気管が配設され、
前記センサは前記カムチェーン室の下方のオイル戻り通路の油温を検出する油温センサであり、
前記カムチェーン室の側面に形成された貫通孔に前記油温センサが嵌挿されて前記油温センサの先端の温度感知部が前記オイル戻り通路に突出することを特徴とする内燃機関。
【請求項２】
前記油温センサは、前記シリンダブロックの側方から地面に対して略水平に突設されていることを特徴とする請求項１記載の内燃機関。
【請求項３】
前記排気管の一部に構成された触媒装置が前記センサの下方に配設されることを特徴とする請求項１または請求項２記載の内燃機関。
【請求項４】
前記排気管は、シリンダヘッドの下面から前方に屈曲した後に湾曲して後方へ延び、
前記触媒装置は、前記シリンダヘッドと前記シリンダブロックの下方でかつクランクケースの手前に介装されることを特徴とする請求項３記載の内燃機関。
【請求項５】
前記シリンダブロックの一部に冷却フィンが前記センサの前方に位置して形成されていることを特徴とする請求項１から請求項４までのいずれかの項記載の内燃機関。
【請求項６】
前記冷却フィンが、前記シリンダブロックの側面から下面にかけて前面視Ｌ字に形成されていることを特徴とする請求項５記載の内燃機関。
【発明の詳細な説明】
【技術分野】
【０００１】
本発明は、自動二輪車や三輪車等の小型車両に搭載される内燃機関であって略水平に配置したシリンダに運転状態を検出するセンサを備えた内燃機関に関する。
【背景技術】
【０００２】
自動二輪車に搭載され、シリンダを水平に配置した内燃機関において、シリンダの下部に油温センサを備えた例（特許文献１参照）がある。
【特許文献１】特開２００４−２９３３４８号公報
【０００３】
同特許文献１の油温センサは、シリンダの下部に左側から右方へ斜め上向きに装着され、一部が斜め下方に突出しているので、前輪により跳ね上げられた泥水や飛石等が油温センサに当たり、油温センサが汚損されるおそれがある。
【０００４】
そこで、油温センサの前方をセンサカバーが覆う構造とし、特別に専用のセンサカバーを内燃機関に取り付けることにより該油温センサを飛石等から保護するようにしている。
【発明の開示】
【発明が解決しようとする課題】
【０００５】
したがって、専用のセンサカバーを製造し内燃機関に取り付ける必要があり、部品点数が増え、内燃機関に取付けるための加工および取付け作業を要して、コスト高となる。
【０００６】
本発明は、かかる点に鑑みなされたもので、その目的とする処は、特別の部材および取付け作業を要せずにシリンダに突設されたセンサを飛石等から保護することができる小型車両に搭載の内燃機関を供する点にある。
【課題を解決するための手段】
【０００７】
上記目的を達成するために、請求項１記載の発明は、前方に向いて水平近くまで前傾して配置されたシリンダブロックに運転状態を検出するセンサが設けられた小型車両に搭載の内燃機関において、前記センサが前記シリンダブロックのカムチェーン室側の側方に突設され、前記センサの下方に排気管が配設され、前記センサは前記カムチェーン室の下方のオイル戻り通路の油温を検出する油温センサであり、前記カムチェーン室の側面に形成された貫通孔に前記油温センサが嵌挿されて前記油温センサの先端の温度感知部が前記オイル戻り通路に突出する内燃機関とした。
【０００９】
請求項３記載の発明は、請求項１または請求項２記載の内燃機関において、前記排気管の一部に構成された触媒装置が前記センサの下方に配設されることを特徴とする。
【００１２】
請求項５記載の発明は、請求項１から請求項４までのいずれかの項記載の内燃機関において、前記シリンダブロックの一部に冷却フィンが前記センサの前方に位置して形成されていることを特徴とする。
【００１３】
請求項６記載の発明は、請求項５記載の内燃機関において、前記冷却フィンが、前記シリンダブロックの側面から下面にかけて前面視Ｌ字に形成されていることを特徴とする。
【発明の効果】
【００１６】
請求項１記載の内燃機関によれば、シリンダブロックの側方に突設されたセンサの下方に排気管が配設されたので、走行中に地面から跳ね上げられた飛石等を排気管が受けてセンサを保護することができ、センサを飛石等から防護する特別の防護部品を必要とせず、その取付け作業も不要で、コストの低減を図ることができる。
【００１７】
請求項２記載の内燃機関によれば、油温センサは、前記シリンダブロックの側方から地面に対して略水平に突設されているので、油温センサをシリンダブロックに取り付け易い。
【００１８】
請求項３記載の内燃機関によれば、前記排気管の一部に構成された触媒装置がセンサの下方に配設されるので、排気管の中でも幅の大きい触媒装置が飛石からセンサを確実に保護することができる。
【００２１】
請求項５記載の内燃機関によれば、シリンダブロックの冷却フィンが前記センサの前方に位置して形成されているので、前方からの飛石があっても、特別な防護部品を用いることなくシリンダブロックの冷却フィンが受けてセンサを保護することができる。
【００２２】
請求項６記載の内燃機関によれば、前記冷却フィンが、シリンダブロックの側面から下面にかけて前面視Ｌ字に形成されているので、同冷却フィンの強度を高く維持して前方からの飛石からセンサを確実に保護することができる。
【発明を実施するための最良の形態】
【００２５】
以下、本発明に係る一実施の形態について図１ないし図４に基づいて説明する。
図１は、本内燃機関20を搭載した自動二輪車１の側面図である。
【００２６】
車体フレームは、ヘッドパイプ２から後方斜め下向きにメインフレーム３が１本延出し、同メインフレーム３の後端部に左右一対のピボットプレート４，４が下方に垂設され、メインフレーム３の後部からは後方へ斜め上向きに左右一対のリヤフレーム５，５が延び、ピボットプレート４，４とリヤフレーム５，５との間にサブフレーム６，６が架設されている。
【００２７】
ヘッドパイプ２にハンドル７により操舵自在に取り付けられたフロントフォーク８の下端に前輪９が軸支されている。
他方、ピボットプレート４にはスイングアーム11がピボット軸10で前端を軸支されて上下に揺動自在に連結され、同スイングアーム11の後端に後輪12が軸支されている。
このスイングアーム11と上方のリヤフレーム５との間にリヤクッション13が介装されている。
【００２８】
左右一対のリヤフレーム５，５の前部に燃料タンク14が取り付けられ、この燃料タンク14からリヤフレーム５，５の後部にかけて収納ボックス15が支持され、この収納ボックス15に開閉自在にシート16が取り付けられている。
【００２９】
メインフレーム３の中央より幾らか後方に突設されたエンジンハンガー17とピボットプレート４に支持されて内燃機関20が懸架されている。
内燃機関20は、４ストロークサイクル１気筒の内燃機関である。
【００３０】
該内燃機関20は、前方へ略水平にシリンダを配置して車体フレームに搭載されている。
すなわち、クランクケース21から前方にシリンダブロック22，シリンダヘッド23，シリンダヘッドカバー24が順に重ねられて突出している。
【００３１】
クランクケース21の後部にミッション室から出力軸25が左方に突出し、その端部にドライブスプロケット26が嵌着され、後輪12の車軸に嵌着されたドリブンスプロケット27との間にドライブチェーン28が架渡され、内燃機関20の動力が後輪12で伝達されるようになっている。
【００３２】
前方へ略水平に配置されたシリンダヘッド23の上面からは吸気管30が上方に延出し、同吸気管30はインジェクタ一体型のスロットルボディ31を介してメインフレーム３に取り付けられたエアクリーナ32に接続されている。
【００３３】
図１と要部平面図である図２を参照して、シリンダヘッド23の下面から下方へ延出する排気管33は、直ぐに前方に屈曲した後に左方に180度湾曲して後方に向かい、シリンダヘッド23とシリンダブロック22の斜め左側下方でかつクランクケース21の手前で触媒装置34を介装して、さらにクランクケース21の下面に沿って後方へ延び、クランクケース21の後方に配置されたマフラ35に接続されている。
【００３４】
マフラ35は、クランクケース21と後輪12との間に位置する幅広前部35ａと幅広前部35ａから後輪12の右側に廻り込むようにして後方に延びた幅狭後部35ｂとからなり（図２参照）、ピボットプレート４に支持され、前記排気管33は、幅広前部35ａの前面左側部分に接続される。
【００３５】
ハンドル７はハンドルカバー60で覆われ、ヘッドパイプ２の前方はフロントカバー61が覆い、メインフレーム３の上部から左右両側部にかけてレッグシールド62が覆い、収納ボックス15の周囲およびその下方をボディカバー63が覆っている。
そして前輪９の上方から後方にかけてフロントフェンダ64が覆い、後輪12の斜め上方をリヤフェンダ65が覆っている。
【００３６】
本内燃機関20は、ＯＨＣチェーン動弁駆動方式を採用しており、クランクシャフト40の回転をシリンダヘッド23に設けられるカムシャフト41に伝達するのにカムチェーン42が用いられている。
この動弁機構へのカムチェーン42による動力伝達機構は、内燃機関20の左側部分に設けられている。
【００３７】
図４は、シリンダブロック22をシリンダヘッド23との合わせ面側から見た前面図であるが、シリンダボア22ａの左側（図４において右側）に縦長の略矩形にカムチェーン室43が形成されている。
なお、カムチェーン室43はシリンダヘッドカバー24にも連続して形成されている。
【００３８】
このカムチェーン室43を貫通したカムチェーン42が、クランクシャフト40に嵌着されたドライブスプロケット40ａとカムシャフト41に嵌着されたドリブンスプロケット41ａとの間に架渡される。
【００３９】
ドライブスプロケット40ａにより引っ張られ側（下側）のカムチェーン42に沿って、同下側カムチェーン42を下方から支えて案内する固定式のチェーンガイド45が設けられ、ドライブスプロケット40ａにより押出される側（上側）のカムチェーン42には、上側からテンションを加えるカムチェーンテンショナ46が設けられている。
【００４０】
カムチェーン室43のチェーンガイド45より下方はオイル戻り通路43ａとなっている。
シリンダブロック22には、その左側面の下側後部に取付けボス部22ｂが貫通孔を備えて形成されており、同取付けボス部22ｂに左方から略水平に油温センサ50が嵌挿される。
【００４１】
油温センサ50は、その右半部が貫通孔に挿入されて、その先端の温度感知部50ａが上記オイル戻り通路43ａに突出し、左半部がシリンダブロック22の左側面から左方に地面に対して略水平に突設されている。
【００４２】
したがって、シリンダブロック22が略水平に配置される内燃機関20において、本油温センサ50は全ての戻りオイルが通過するオイル戻り通路43ａでオイルの温度を検出できるので、油温を正確に測定することができる。
【００４３】
シリンダブロック22の表面には、複数の冷却フィン22ｆが突出形成されているが、油温センサ50の左半部の露出部分の直ぐ前方にも冷却フィン22Ｆが形成されている。
この冷却フィン22Ｆは、シリンダブロック22の前面図である図４を参照して、シリンダブロック22の左側面から下面にかけて前面視Ｌ字状に形成されて強度を高める構造をしている。
【００４４】
この油温センサ50の直ぐ前方に形成された冷却フィン22Ｆにより前方から飛んで来るの飛石や異物等から油温センサ50を保護することができる。
【００４５】
また、油温センサ50の下方には、排気管33の一部に構成された触媒装置34が配設されている。
触媒装置34は、排気管33の径が大きく膨張した部分に設けられており、その左右幅長が広がって前後に長尺の触媒装置34の上方に油温センサ50が位置することになる。
【００４６】
したがって、走行中に特に前輪９により地面から跳ね上げられた飛石等を触媒装置34が受けて油温センサ50を保護することができる。
油温センサ50を飛石等から防護する特別の防護部品を必要とせず、その取付け作業も不要で、コストの低減を図ることができる。
【００４７】
シリンダヘッド23から左方に突設された油温センサ50の左斜め前方には、レッグシールド62が位置しており（図１および図２参照）、斜め前方からの飛石等はレッグシールド62により油温センサ50は保護される。
【００４８】
次に、車体構造の異なる自動二輪車80に同じ内燃機関20が搭載された実施の形態について図５および図６に基づいて説明する。
【００４９】
本自動二輪車80は、鞍乗り型車両であり、ヘッドパイプ81から後方へメインフレーム82が延出するとともに、斜め下方に左右に分かれて一対のダウンフレーム83，83が延出する。
ダウンフレーム83，83は、下端で屈曲して後方に延び、メインフレーム82の途中から斜め下方に延びる左右一対のセンタフレーム84，84の後方に湾曲した下端とダウンフレーム83，83の後端が連結されている。
メインフレーム82から左右一対のシートレール85，85が後方に延び、センタフレーム84，84の湾曲部とシートレール85，85との間にサイドフレーム86，86が架設されている
【００５０】
ヘッドパイプ81に操舵自在に支持されたフロントフォーク87の下端に前輪88が軸支され、センタフレーム84の湾曲部に設けられたピボットプレート89に前端を軸支されてスイングアーム90が揺動自在に設けられ、スイングアーム90の後端に後輪91が軸支されている。
スイングアーム90の後部と上方のシートレール85との間にリヤクッション92が介装されている。
【００５１】
メインフレーム82に燃料タンク93が支持され、その後方のシートレール85上にシート94が設けられている。
前記実施の形態と同じ内燃機関20（同じ符号を用いる）は、センタフレーム84に突設されたエンジンハンガー93とピボットプレート89に支持されている。
【００５２】
内燃機関20のシリンダヘッド23から上方に延出した吸気管95は、スロットルボディ96を介して後方へ延び、シートレール85の前部下方に配設されたエアクリーナ97に接続されている。
【００５３】
シリンダヘッド23から下方に延出した排気管98は、屈曲して後方へ右側に寄りながらクランクケース21の下面に沿って延び、後輪91の右側に配設された前後長尺のマフラ99に接続されている。
【００５４】
以上のような自動二輪車80に搭載された内燃機関20には、シリンダブロック22の左側面に沿った下部に左側斜め下方に油温センサ50が突設されている。
油温センサ50は、斜め下方から取り付けられるので、取り付け易い。
なお、油温センサ50は、地面に対して略水平に突設されるようにしてもよい。
【００５５】
油温センサ50の直ぐ前方は冷却フィン22Ｆが位置していて、前方から飛んで来るの飛石や異物等から油温センサ50を保護している。
【００５６】
この油温センサ50の下方の斜め前方には、左右一対のダウンフレーム83，83間に架設されたクロスパイプ100が位置しており、同クロスパイプ100に前端を接続されて後方にクロスプレート101が左右一対のダウンフレーム83，83間に架設されて設けられている。
【００５７】
したがって、油温センサ50の下方はクロスプレート101が覆う構造であり、走行中に特に前輪９により地面から跳ね上げられた飛石等をクロスプレート101およびクロスパイプ100が受けて油温センサ50を保護することができる。
油温センサ50を飛石等から防護する特別の防護部品を必要とせず、その取付け作業も不要で、コストの低減を図ることができる。
【００５８】
このように、クロスプレート101，クロスパイプ100および冷却フィン22Ｆにより油温センサ50は飛石等から必要な程度に保護されるが、なお完全を期すためには、シリンダブロック22とクロスパイプ100との間の空間に飛び込むような飛石等を事前に阻止するために、図５および図６に図示するようなガード片110を設けてもよい。
【００５９】
ガード片110は、基端をシリンダブロック22の下面にボルト111で固着して、同基端から後方斜め下向きに延出しており、油温センサ50とクロスパイプ100との間に突出している。
【００６０】
したがって、シリンダブロック22とクロスパイプ100との間の空間に飛び込むような飛石等をガード片110が受けて、さらに後方に入り込まないようにして油温センサ50を確実に保護することができる。
ガード片110は小片であり、取付けも簡単である。
【図面の簡単な説明】
【００６１】
【図１】本発明の一実施の形態に係る内燃機関を搭載した自動二輪車の側面図である。
【図２】同自動二輪車の部分平面図である。
【図３】該内燃機関の一部省略した要部側面図である。
【図４】シリンダブロックをシリンダヘッドとの合わせ面側から見た前面図である。
【図５】別の実施の形態に係る自動二輪車の側面図である。
【図６】同要部下面図である。
【符号の説明】
【００６２】
１…自動二輪車、２…ヘッドパイプ、３…メインフレーム、４…ピボットプレート、５…リヤフレーム、８…フロントフォーク、17…エンジンハンガー、
20…内燃機関、21…クランクケース、22…シリンダブロック、23…シリンダヘッド、
30…吸気管、33…排気管、34…触媒装置、35…マフラ、40…クランクシャフト、41…カムシャフト、42…カムチェーン、43…カムチェーン室、
50…油温センサ、62…レッグシールド、
80…自動二輪車、81…ヘッドパイプ、82…メインフレーム、83…ダウンフレーム、100…クロスパイプ、101…クロスプレート、110…ガード片、111…ボルト。
【図１】
0004610467.tif 000002
【図２】
0004610467.tif 000003
【図３】
0004610467.tif 000004
【図４】
0004610467.tif 000005
【図５】
0004610467.tif 000006
【図６】
0004610467.tif 000007